(57)【要約】【課題】  医療や食品製造従事者などにとって使い勝手が良好で、マスク１が鼻Ｎからずり落ちて鼻Ｎや口Ｍが露出するのを防止できる衛生用具を提供する。【解決手段】  耳ＥＡに係止されて、口Ｍおよび鼻Ｎを覆うマスク１と、頭部Ｈを覆う帽子２とを有する衛生用具であって、前記帽子２に被係止要素５が設けられ、前記マスク１に、前記帽子２に連結される連結部材３の一端部が取り付けられ、この連結部材３の他端部に前記帽子２の被係止要素５に着脱自在に係止される係止要素６が設けられている。【選択図】  図１
2006141899.tif 000002
【特許請求の範囲】
【請求項１】
耳に係止されて、口および鼻を覆うマスクと、頭部を覆う帽子とを有する衛生用具であって、
前記帽子に被係止要素が設けられ、
前記マスクに、前記帽子に連結される連結部材の一端部が取り付けられ、
前記連結部材の他端部に前記帽子の被係止要素に着脱自在に係止される係止要素が設けられている衛生用具。
【請求項２】
請求項1 において、前記連結部材の一端部が前記マスクの左右方向の中央部に取り付けられている衛生用具。
【請求項３】
耳に係止されて、口および鼻を覆うマスクと、一端部が前記マスクに取り付けられた連結部材とを有し、前記連結部材の他端部に頭部を覆う帽子に着脱自在に係止される係止要素が設けられている衛生用具。
【発明の詳細な説明】
【技術分野】
【０００１】
本発明は、医療や食品製造従事者などが着用する衛生用具に関するものである。
【背景技術】
【０００２】
医療や食品製造従事者などは、衛生の面からマスクおよび帽子の着用が不可欠である。これらのマスクや帽子は、紙製または布製のものが用いられている。しかし、マスクを着用して食品の製造や手術または治療を行っているときに、マスクが鼻からずり落ち、鼻や口が露出することがあって不衛生となり易く、しかも、マスクが鼻からずり落ちたとき、その都度マスクを手で持ち上げてセットし直すのは煩わしい。
【０００３】
ところで、従来、衛生用具としてマスクと帽子を一体化したものが提案されている( 特許文献1)。
【特許文献１】特開平１１−１８１５号公報
【発明の開示】
【発明が解決しようとする課題】
【０００４】
しかし、従来のものは、着用時にマスクの滑り落ちはないものの、顔の日焼け止めや埃、花粉対策として農業従事者用に開発されたものであって、帽子が首から上の顔および頭部のほぼ全体を覆う大きさとされ、また、マスクが帽子の布部にボタンを介して取り付ける構造とされているので、医療や食品製造従事者などには使い勝手が悪い。
【０００５】
そこで、本発明は、医療や食品製造従事者などにとって使い易くて、マスクが鼻からずり落ちて鼻や口が露出するのを防止できる衛生用具を提供することを目的とする。
【課題を解決するための手段】
【０００６】
上記目的を達成するために、本発明の第１構成に係る衛生用具は、耳に係止されて、口および鼻を覆うマスクと、頭部を覆う帽子とを有する衛生用具であって、前記帽子に被係止要素が設けられ、前記マスクに、前記帽子に連結される連結部材の一端部が取り付けられ、前記連結部材の他端部に前記帽子の被係止要素に着脱自在に係止される係止要素が設けられている。
【０００７】
食品の製造や手術または治療を行うときには、帽子を被り、かつ、マスクを耳に係止して口や鼻を覆い、このマスクに一端が取り付けられた連結部材の他端の係止要素を、前記帽子に設けた被係止要素に着脱自在に係止させる。このようにすれば、前記連結部材を介してマスクが帽子に保持されるので、着用時にマスクが鼻からずり落ちて鼻や口が露出することがなくなって、衛生的となる。また、前記マスク側の連結部材の係止要素を帽子の被係止要素から取り外し、マスクを帽子から分離させた状態として、手でマスクを口から下方にずらせることにより、飲み物を飲んだりタバコを吸うようなときに便利となり、また、喫煙後などにはマスクを口および鼻を覆う位置にまで持ち上げて、連結部材の係止要素を帽子側の被係止要素に係止させることにより、マスクの再セットが容易に行えて、使い勝手が良好となる。
【０００８】
前記連結部材の一端部は、前記マスクの左右方向の中央部に取り付けることが好ましい。この構成によれば、連結部材を介してマスクを帽子に保持させたとき、連結部材が左右両目の中間に位置するので、この連結部材が目障りとなることはない。
【０００９】
また、本発明の第２構成に係る衛生用具は、耳に係止されて、口および鼻を覆うマスクと、一端部が前記マスクに取り付けられた連結部材とを有し、前記連結部材の他端部に頭部を覆う帽子に着脱自在に係止される係止要素が設けられている。つまり、前記第１構成に係る帽子側の被係止要素を省略し、連結部材の係止要素を直接帽子の生地に係止させている。
【００１０】
この衛生用具によっても、前記第１構成の衛生用具と同様に、頭部に帽子を被り、かつ、マスクを耳に係止して口や鼻を覆い、このマスクに一端が取り付けられた連結部材の他端に設ける係止要素を前記帽子に着脱自在に係止させることにより、マスクが鼻からずり落ちて鼻や口が露出したりすることがなくなって衛生的な使用が行える。また、前記連結部材の係止要素を帽子から取り外して、マスクを口から下方に垂れ下がらせることにより、飲み物を飲んだりタバコを吸うようなときに便利となり、また、マスクの再セットも容易に行える。
【発明の効果】
【００１１】
本発明の衛生用具によれば、医療や食品製造従事者などにとって使い勝手が良好でありながら、マスクが鼻からずり落ちて鼻や口が露出するのを防止できる。
【発明を実施するための最良の形態】
【００１２】
以下、本発明にかかる衛生用具の実施形態を図面に基づいて説明する。
図１は本発明の第１実施形態に係る衛生用具の着用状態を示す正面図、図２はその一部省略した側面図である。この衛生用具Ａは、耳ＥＡに係止されて口Ｍおよび鼻Ｎを覆うマスク１と、目ＥＹおよび耳ＥＡよりも上方の頭部Ｈを覆う帽子２とからなり、この帽子２に対し前記マスク１が細長い連結部材３を介して着脱自在に連結可能とされている。前記マスク１および帽子２としては、紙や布製の使い捨てタイプのものが好適に用いられる。前記マスク１の上部の内部には、針金のような変形可能な細長い保形部材７が挿入されていて、この保形部材７を変形させることによりマスク１を顔面に沿って馴染む形状に保形できるようになっている。
【００１３】
前記連結部材３は、細長いひも状の部材や透明な樹脂製の帯材などにより形成され、その一端が、前記マスク１の左右方向の中央部に糸４などにより縫着されている。連結部材３の他端部には、前記帽子２の左右方向の中央部に取り付けた被係止要素５に着脱自在に係止される係止要素６が取り付けられている。これら被係止要素５および係止要素６としては、ループ部材とフック部材とからなる面ファスナーが用いられ、その両部材が被係止要素５および係止要素６として使用される。
【００１４】
食品の製造や手術または治療を行うときには、図１のように、頭部Ｈに帽子２を被り、かつ、マスク１を耳ＥＡに係止させて口Ｍおよび鼻Ｎを覆い、マスク１に取り付けられた連結部材３の係止要素６を、前記帽子２に設けた被係止要素５に着脱自在に係止させる。このようにすることにより、前記連結部材３を介してマスク１が帽子２に保持されるので、マスク１が鼻Ｎからずり落ちて鼻Ｎや口Ｍが露出したりすることがなくなり、衛生的となる。また、前記連結部材３の係止要素６を帽子２の被係止要素５から取り外して、図２の仮想線で示すようにマスク１を帽子２から分離させた状態として、手でマスク１を口Ｍから下方にずらすことにより、飲み物を飲んだりタバコを吸うようなときに便利となる。喫煙後などにはマスク１を口Ｍおよび鼻Ｎを覆う位置にまで持ち上げて、連結部材３の係止要素６を帽子２側の被係止要素５に係止させることにより、マスク１の再セットが容易に行える。さらに、前記連結部材３は、顔の左右方向の中央部に位置するので、目障りとはならない。
【００１５】
図３は第２実施形態にかかる衛生用具を示す。この実施形態では、第１実施形態における帽子２の被係止要素５が省略されており、連結部材３の係止要素５が帽子２の生地に直接係止される。係止要素５は、図３のような形状のフック１１を複数備えたもので、フック１１が帽子２の生地に食い込むことで係止される。この第２実施形態によっても、上述した第１実施形態と同様な効果が得られる。
【図面の簡単な説明】
【００１６】
【図１】本発明の第１実施形態にかかる衛生用具の着用状態を示す正面図である。
【図２】その一部省略した側面図である。
【図３】本発明の第２実施形態にかかる衛生用具を示す一部省略した側面図である。
【符号の説明】
【００１７】
１    マスク
２    帽子
３    連結部材
５    被係止要素
６    係止要素
ＥＡ  耳
Ｈ    頭部
Ｍ    口
Ｎ    鼻
【図１】
2006141899.tif 000003
【図２】
2006141899.tif 000004
【図３】
2006141899.tif 000005